(57)【要約】      （修正有）【課題】処方箋により指示された薬を薬品棚から取り出す際に、従来から使用している薬品棚にも適用でき、薬剤師が薬を間違えることなく取り揃えることを可能にする薬品棚点灯システムを提供する。【解決手段】複数の透明な薬品ケースを備えた薬品棚と、その背面（後面）に配置されたＬＥＤ付きバーとを備える薬品点灯装置１００であって、患者の処方箋を読み取ってその処方箋に記載されている薬品情報を取得する処方箋薬品情報取得部１１と、薬品名とその薬品が保管されている薬品ケースと当該薬品ケースに対応するＬＥＤ２とが対応づけられた薬品保管情報が保存されている記憶部１２と、処方箋薬品情報取得部が取得した薬品情報と記憶部に保存されている薬品保管情報とに基づいて、処方箋薬品情報取得部が取得した薬品情報に含まれる薬品に対応するＬＥＤを判別するＬＥＤ判別部１３と、判別されたＬＥＤを点灯させるＬＥＤ点灯部１４とを備える。【選択図】図３
2020130473.tif 000002
【特許請求の範囲】
【請求項１】
複数の透明な薬品ケースを備えた薬品棚と、前記薬品棚の背面（後面）に配置されたＬＥＤ付きバーとを備える薬品点灯装置であって、
前記ＬＥＤ付きバーの、前記複数の透明な薬品ケースの各々に対応する位置に、それぞれ設置された複数のＬＥＤと、
患者の処方箋を読み取って、その処方箋に記載されている薬品情報を取得する処方箋薬品情報取得部と、
薬品名と、その薬品が保管されている前記薬品ケースと、当該薬品ケースに対応する前記ＬＥＤとが対応づけられた薬品保管情報が保存されている記憶部と、
前記処方箋薬品情報取得部が取得した薬品情報と、前記記憶部に保存されている薬品保管情報とに基づいて、前記処方箋薬品情報取得部が取得した薬品情報に含まれる薬品に対応するＬＥＤがどのＬＥＤであるかを判別するＬＥＤ判別部と、
前記ＬＥＤ判別部により判別された前記ＬＥＤを点灯させるＬＥＤ点灯部と
を備えることを特徴とする薬品点灯装置。
【請求項２】
前記処方箋薬品情報取得部が取得する薬品情報が入力される処方箋入力装置と、前記請求項１記載の薬品点灯装置とを備える、薬品点灯システム。
【発明の詳細な説明】
【技術分野】
【０００１】
この発明は、処方箋により指示された薬を薬品棚から取り出す際に用いられる薬品棚点灯装置および薬品棚点灯システムに関するものである。
【背景技術】
【０００２】
病院等において医師により処方された薬を患者が受け取る際には、患者が処方箋を持って薬局に行き、その処方箋により指示された薬を、薬剤師等が処方箋を見ながら薬品棚（薬品箱）から取り出して揃える、という方式が一般的である。近年では、薬品棚の薬品ケースとして複数の透明アクリルケースが用いられ、例えば図１に示すように、何百個もの透明アクリルケースからなる薬品棚が使用されていることが多い。
【０００３】
しかし、薬の種類は非常に多いため、処方箋を見ながら何百個もの透明アクリルケースからなる薬品棚から薬を取り揃えるのは手間がかかるだけでなく、薬の名称は似通ったものが多いことや、名称が似通っていてもまったく異なる薬であることも多く、また、例えば１ｍｇという錠剤と５ｍｇという錠剤など、同じ薬でも１錠の量が異なる薬も多いため、万一、間違えた場合には、患者の体に多大な影響を及ぼしてしまうという危険がある。
【０００４】
これらの問題を解決するために、従来より、薬品棚から薬を提供する作業の自動化や効率化を図ることができる装置が望まれており、例えば特許文献１には、薬箱の払い出し業務全般の効率化を図ることができる薬箱払い出し装置が開示されている。
【先行技術文献】
【特許文献】
【０００５】
【特許文献１】特開２０１２−８５８９２号公報
【発明の概要】
【発明が解決しようとする課題】
【０００６】
しかしながら、例えば特許文献１に開示されているような従来の装置では、処方毎に薬箱を収集して払出可能な薬箱収容部と、薬箱を移送する移送コンベアと、移送されてきた薬箱を所定の位置に供給可能な供給手段とを備えるという大がかりな装置であるため、そのような装置を導入する余裕のない薬局には採用されず、また、このような新しい装置を導入した場合には、従来から使用している薬品棚がすべて無駄になってしまう、という課題があった。
【０００７】
この発明は、上記のような課題を解決するためになされたものであり、処方箋により指示された薬を薬品棚から取り出す際に、従来から使用している薬品棚にも適用でき、かつ、薬剤師等が間違えることなく薬を取り揃えることを可能にする薬品棚点灯装置および薬品棚点灯システムを提供することを目的とする。
【課題を解決するための手段】
【０００８】
上記目的を達成するため、この発明は、複数の透明な薬品ケースを備えた薬品棚と、前記薬品棚の背面（後面）に配置されたＬＥＤ付きバーとを備える薬品点灯装置であって、前記ＬＥＤ付きバーの、前記複数の透明な薬品ケースの各々に対応する位置に、それぞれ設置された複数のＬＥＤと、患者の処方箋を読み取って、その処方箋に記載されている薬品情報を取得する処方箋薬品情報取得部と、薬品名と、その薬品が保管されている前記薬品ケースと、当該薬品ケースに対応する前記ＬＥＤとが対応づけられた薬品保管情報が保存されている記憶部と、前記処方箋薬品情報取得部が取得した薬品情報と、前記記憶部に保存されている薬品保管情報とに基づいて、前記処方箋薬品情報取得部が取得した薬品情報に含まれる薬品に対応するＬＥＤがどのＬＥＤであるかを判別するＬＥＤ判別部と、前記ＬＥＤ判別部により判別された前記ＬＥＤを点灯させるＬＥＤ点灯部とを備えることを特徴とする。
【発明の効果】
【０００９】
この発明の薬品棚点灯装置および薬品棚点灯システムによれば、複数の透明な薬品ケースからなる薬品棚の背面（後面）にＬＥＤ付きのバーを配置することにより、従来から使用している薬品棚にも適用でき、かつ、処方箋により指示された薬を薬品棚から取り出す際に、指示された薬に該当する薬品ケースの背面（後面）に配置されているＬＥＤが点灯することにより、薬剤師等が間違えることなく薬を取り揃えることが可能となる。
【図面の簡単な説明】
【００１０】
【図１】透明な薬品ケースからなる薬品棚の一例を示す図である。
【図２】この発明の実施の形態１における薬品棚点灯装置の概要構成を示す一部拡大の外観斜視図である。
【図３】この発明の実施の形態１における薬品棚点灯装置の機能構成を示すブロック図である。
【図４】この発明の実施の形態１における薬品棚点灯装置の動作を示すフローチャートである。
【図５】この発明の実施の形態１における薬品棚点灯装置において、判別されたＬＥＤが点灯している状態を示す外観斜視図である。
【発明を実施するための形態】
【００１１】
この発明は、処方箋により指示された薬を薬品棚から取り出す際に用いられる薬品棚点灯装置および薬品棚点灯システムに関するものである。
以下、この発明の実施の形態について、図面を参照しながら詳細に説明する。
【００１２】
実施の形態１．
図１は、透明アクリルケースなどの透明な薬品ケースからなる薬品棚の一例を示す図である。この図１に示すように、近年では、薬品棚１０の薬品ケースとして複数の透明アクリルケース１（１−１，１−２，１−３，・・・）が用いられ、何百個もの透明アクリルケースからなる薬品棚が使用されていることが多い。なお、それぞれの薬品ケース（透明アクリルケース）１の前面には、そのケースに保管されている薬品の名称等（薬品の名称とグラム数などの量）を示す名札等が貼り付けられていたり、その名称等が記載されている。
【００１３】
しかし、薬の種類は非常に多いため、処方箋を見ながら何百個もの薬品ケース１からなる薬品棚から薬を取り揃えるのは手間がかかるだけでなく、薬の名称は似通ったものが多いことや、名称が似通っていてもまったく異なる薬であることも多く、また、例えば１ｍｇという錠剤と５ｍｇという錠剤など、同じ薬でも１錠の量が異なる薬も多いため、万一、間違えた場合には、患者の体に多大な影響を及ぼしてしまうという危険がある。また、新しいシステムを導入する際には、従来から使用している薬品棚がすべて無駄になってしまうという課題もあった。
【００１４】
そこで、この実施の形態１では、処方箋により指示された薬を薬品棚の薬品ケースから取り出す際に、従来から使用している薬品棚にも適用でき、かつ、薬剤師等が間違えることなく薬を取り揃えることを可能にする薬品棚点灯装置および薬品棚点灯システムを提供することを目的とする。
【００１５】
図２は、この発明の実施の形態１における薬品棚点灯装置の概要構成を示す一部拡大の外観斜視図である。図２に示すように、この実施の形態１における薬品棚点灯装置１００は、複数の透明な薬品ケース１を備えた薬品棚１０の背面（後面）、すなわち、複数の透明アクリルケース１（１−１，１−２，１−３，・・・）の背面（後面）に、複数のＬＥＤ２（２−１，２−２，２−３，・・・）が取り付けられたＬＥＤ付きバー２０が設置されている。すなわち、この薬品棚点灯装置１００は、複数の透明な薬品ケース１を備えた薬品棚１０と、その薬品棚１０の背面（後面）に配置されたＬＥＤ付きバー２０とを備えている。
【００１６】
複数のＬＥＤ２は、各透明な薬品ケース（透明アクリルケース）１に対してそれぞれ１つのＬＥＤ２が対応するように設置されている。この図２においては、薬品ケース１−４および１−５は図示せず、その背面（後面）に設置されたＬＥＤ２−４および２−５が視認できる状態としている。また、図２において、透明な薬品ケース１越しに見えているＬＥＤやバーなどは破線で記載するとともに、ＬＥＤ２−１，２−２には符号を記載せず、ＬＥＤ２−３にのみ符号も記載している。すなわち、ＬＥＤ付きバー２０には、複数の透明な薬品ケース（透明アクリルケース）１の各々に対応する位置に、それぞれＬＥＤ２が設置されている。
【００１７】
図３は、この発明の実施の形態１における薬品棚点灯装置の機能構成を示すブロック図である。図３に示すように、この発明の薬品棚点灯装置１００は、処方箋薬品情報取得部１１、薬品名称およびケース対応記憶部１２、ＬＥＤ判別部１３、ＬＥＤ点灯部１４を内部機能として備えるとともに、ＬＥＤ点灯部１４からの信号が送られるよう、それぞれのＬＥＤ２に接続されている。
【００１８】
すなわち、この薬品棚点灯装置１００は、前述のとおり、複数の透明な薬品ケース１を備えた薬品棚１０と、その薬品棚１０の背面（後面）に配置されたＬＥＤ付きバー２０とを備えており、ＬＥＤ付きバー２０の、複数の透明な薬品ケース１の各々に対応する位置に、それぞれ設置された複数のＬＥＤ２と、機能構成要素としては図３に示すとおりの、処方箋薬品情報取得部１１、薬品名称およびケース対応記憶部１２、ＬＥＤ判別部１３、ＬＥＤ点灯部１４を備えている。
【００１９】
処方箋薬品情報取得部１１は、処方箋入力装置３から入力された、患者の処方箋を読み取って、その処方箋に記載されている薬品情報を取得する取得部である。薬品情報には、処方された薬品の名称等（薬品の名称とグラム数などの量）と、服用する数量と服用時間帯などの情報が含まれている。処方箋入力装置３は、処方箋薬品情報取得部１１が取得するための薬品情報が入力される装置であり、医師が診断の際に入力するカルテ用の入力装置であってもよいし、医師による処方箋を見て薬剤師等が薬局において薬品情報を入力する装置であってもよい。
【００２０】
薬品名称およびケース対応記憶部１２は、薬品の名称等（薬品の名称とグラム数などの量）と、その薬品が保管されている透明な薬品ケース（透明アクリルケース）１と、その薬品ケースに対応するＬＥＤ２とが対応づけられた薬品保管情報が保存されているデータベース（記憶部）である。
【００２１】
ＬＥＤ判別部１３は、処方箋薬品情報取得部１１が取得した薬品情報と、薬品名称およびケース対応記憶部１２に保存されている薬品保管情報とに基づいて、すなわち、処方箋薬品情報取得部１１が取得した薬品情報に含まれる薬品の名称等と、薬品名称およびケース対応記憶部１２に保存されている薬品保管情報とを比較して、処方箋薬品情報取得部１１が取得した薬品情報に含まれる薬品に対応するＬＥＤがどのＬＥＤであるかを判別する判別部である。
また、ＬＥＤ点灯部１４は、ＬＥＤ判別部１３により判別されたＬＥＤ２を点灯させる点灯部である。
【００２２】
図４は、この発明の実施の形態１における薬品棚点灯装置の動作を示すフローチャートである。まず初めに、ある患者の処方箋が処方箋入力装置３から入力されると（ステップＳＴ１のＹＥＳの場合）、処方箋薬品情報取得部１１が、その処方箋を読み取って、そこに記載されている薬品情報を取得する（ステップＳＴ２）。
【００２３】
次に、ＬＥＤ判別部１３が、ステップＳＴ２で取得した薬品情報と、薬品名称およびケース対応記憶部１２に保存されている薬品保管情報とを比較して、ステップＳＴ２で取得した薬品情報に含まれる薬品に対応するＬＥＤがどのＬＥＤであるかを判別する（ステップＳＴ３）。そして、ＬＥＤ点灯部１４が、ステップＳＴ３で判別されたＬＥＤ２を点灯させる（ステップＳＴ４）。
【００２４】
図５は、この発明の実施の形態１における薬品棚点灯装置において、上記のように判別されたＬＥＤ２が点灯している状態を示す外観斜視図である。この図５では、処方箋に記載されている薬品情報が読み込まれ、その薬品情報に薬品ケース１−５に入っている薬品名が記載されていた場合を例に示している。この場合、薬品ケース１−５に対応するＬＥＤ２−５が点灯して標識され、処方箋に記載されている薬品情報が薬品ケース１−５に入っている薬品であることが一目でわかるため、処方された薬品を間違いなく該当する薬品ケース１−５から取り出すことができる。
【００２５】
このように、患者の処方箋が入力されると、その処方箋に記載されている薬品情報に対応するＬＥＤ２が点灯するため、そのＬＥＤ２が点灯した位置の薬品ケース（透明アクリルケース）１が該当する薬品のケースであることが一目でわかるので、勘違いしやすい薬剤名が多い中、薬剤師等が間違えることなく正確に該当する薬を取り揃えることが可能になる。
【００２６】
また、この実施の形態１における薬品棚点灯装置１００は、新たな装置として導入する場合以外に、図１に示すような薬品棚を既に使用している病院や薬局においても、その薬品棚の背面（後面）にＬＥＤ２が取り付けられたバーを設置すれば、従来から使用している薬品棚にも後付けで簡単に適用することができる、というメリットもある。さらに、薬品の在庫を管理する（整理・補充する）際にも適用することができ、配送された薬品のパッケージのバーコードを読み取ることにより、該当する薬品ケースを点灯させて標識することができるため、人的過ちの発生を防ぐことが期待できる。
【００２７】
また、図３に破線で示したように、この実施の形態１における薬品棚点灯装置１００および処方箋入力装置３からなる薬品棚点灯システム２００として提供するようにしてもよい。なお、処方箋入力装置３と薬品棚点灯装置１００との接続は、有線であってもよいし、ネットワーク経由であっても構わない。
【００２８】
なお、この実施の形態１では、透明な薬品ケース１として透明アクリルケースを用いる場合を例に説明したが、ここでいう「透明」とは、透明な薬品ケース１の後面に配置されたＬＥＤ２が点灯した際に、どの薬品ケース１が点灯されて標識されたかが明確に認識できる程度に透明であればよいので、例えば、透明度が高いポリプロピレンケースなどからなる半透明の薬品ケースも含むものである。
【００２９】
以上のように、この実施の形態１における薬品棚点灯装置１００または薬品棚点灯システム２００によれば、複数の透明な薬品ケース１からなる薬品棚１０の後面にＬＥＤ２付きのバー２０を配置することにより、従来から使用している薬品棚にも適用でき、かつ、処方箋により指示された薬を薬品棚１０から取り出す際に、指示された薬に該当する薬品ケース１の後面に配置されているＬＥＤ２が点灯することにより、薬剤師等が薬を間違えることなく取り揃えることが可能となる。
【００３０】
なお、本願発明はその発明の範囲内において、実施の形態の任意の構成要素の変形、もしくは実施の形態の任意の構成要素の省略が可能である。
【符号の説明】
【００３１】
１（１−１，１，２，１−３，・・・）  透明な薬品ケース（透明アクリルケース）
２（２−１，２−２，２−３，・・・）  ＬＥＤ
３  処方箋入力装置
１０  薬品棚
１１  処方箋情報取得部
１２  薬品名称およびケース対応記憶部
１３  ＬＥＤ判別部
１４  ＬＥＤ点灯部
２０  バー（ＬＥＤ付きのバー）
１００  薬品棚点灯装置
２００  薬品棚点灯システム
【図１】
2020130473.tif 000003
【図２】
2020130473.tif 000004
【図３】
2020130473.tif 000005
【図４】
2020130473.tif 000006
【図５】
2020130473.tif 000007